【事件の表示】
　特願２００６−３４９８３５号「フィルタ清掃装置」拒絶査定不服審判事件〔平成１９年８月３０日出願公開、特開２００７−２１８５７６号〕について、次のとおり審決する。
【結　論】
　本件審判の請求は、成り立たない。
【理　由】
第1．手続きの経緯
　本願は、平成１８年２月１７日に出願された特願２００６−４１５３１号（以下「原出願」という。）の一部を平成１８年１２月２６日に新たな特許出願としたものであって、平成２３年８月３１日付け（発送：９月６日）で拒絶査定がなされ、これに対して平成２３年１１月２１日に拒絶査定不服審判が請求されるとともに、その審判請求と同時に手続補正がなされたものである。
　
第２．平成２３年１１月２１日の手続補正についての補正却下の決定
［補正却下の決定の結論］
　平成２３年１１月２１日の手続補正を却下する。
　
［理由］
１．補正後の請求項１に記載された発明
　平成２３年１１月２１日の手続補正（以下「本件補正」という。）により特許請求の範囲の請求項１は、次のとおりに補正された。
　
【請求項１】
　メッシュフィルタとその周囲に設けられた枠体とから成り空気中の塵埃を除去する四角形状のフィルタを清掃するフィルタ清掃装置であって、
前記フィルタを横切るように配置された
前記
前記
前記
　
　上記補正は、補正前の請求項１に記載された発明を特定するために必要な事項である「除塵ボックス」に関して「前記フィルタを横切るように配置された」との限定を付すとともに、「モータ」、「清掃ブラシ」、「フィルタ」に対し、既述のものであることを示す「前記」の記載を付加するものであり、補正後の請求項１に記載された発明は、補正前の請求項１に記載された発明と、産業上の利用分野及び解決しようとする課題が同一であるので、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の請求項１に記載された発明（以下「本願補正発明」という。）が、特許出願の際独立して特許を受けることが出来るものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
２．引用刊行物とその記載事項
　
（１）原査定の拒絶理由にて引用された、原出願の出願前に頒布された刊行物である特開２００４−２８４８７号公報（以下「刊行物１」という。）には、図面と共に、以下の記載がある。
　
ア．「【０００１】
【発明の属する技術分野】
本発明は、汚れたフィルタを自動的に清掃するフィルタ清掃機能を備えた空気調和機に関し、さらに詳しく言えば、フィルタに付着した埃を確実に除去するとともに、除去した埃を簡単に回収できる空気調和機に関する。」（段落【０００１】）
　
イ．「【００３４】
上面パネル１２の空気吸入口１２１と熱交換器３との間には、熱交換器３に向かう空気中に含まれる塵埃を除去するフィルタ５が設けられており、ベース１１の側板には、フィルタ５を所定方向にスライド移動させるスライド手段６（駆動モータ６）と、フィルタ５に付着した塵埃を除去するフィルタ清掃部７とが設けられている。
【００３５】
図７（ａ）および（ｂ）には、フィルタを前面側および背面側から見た状態の斜視図が示されている。
フィルタ５は、所定の幅を持って枠状に形成されたフレーム５１と、同フレーム５１に囲まれ、網目が規則的に形成されたフィルタ部５２とを備えている
　
ウ．「【００４４】
次に、図２の拡大図を参照して駆動モータ６とフィルタ清掃部７について説明する。駆動モータ６は、取付部６２を介してベース１１の側面に固定されており、その出力軸には、後述するフィルタ清掃部７のボトムカバー７１に設けられた回転ギア７５に対して噛合される出力ギア６１が取り付けられている。
【００４５】
この駆動モータ６は、図示しない制御・駆動手段によって制御・駆動され、例えばリモコン操作やタイマーによって駆動される。その具体的な駆動方法や回転順序などは任意である。
【００４６】
フィルタ清掃部７は、図３および図４に示すように、ボトムカバー７１と、同ボトムカバー７１に被せられるトップカバー７２とからなり
【００４７】
ボトムカバー７１は
少なくともフィルタ５の幅よりも長い箱体に形成されている
【００４８】
リブ７１２ａ〜７１２ｄのうち、リブ７１２ｂ、７１２ｃは、ボトムカバー７中央に平行に設けられ、リブ７１２ｂ、７１２ｃの間に駆動モータ６に噛合する回転ギア７５が回転可能に軸支されている。
【００４９】
回転ギア７５は、図２に示すようにボトムカバー７１の底面からその一部が露出しており、駆動モータ６の出力軸６１に噛合される。
【００５０】
収納スペース７１１内には、フィルタ５の一方の面を清掃する第１清掃ブラシ７３が設けられている
【００５１】
この実施形態において、第１清掃ブラシ７３はＬ字状の支持リブによって支持されているが、より好ましくは、図２に示すように支持リブとボトムカバー７１との間に圧縮バネなどの押圧手段７３１を設けて、第１清掃ブラシ７３が常にフィルタ５に接触するようにすることが好ましい。
【００５２】
トップカバー７２は、ボトムカバー７１の開口周縁に沿って嵌合可能な同じく少なくともフィルタ５の幅よりも長い箱体に成型された合成樹脂からなり、上記リブ７１２ａ〜７１２ｄに対向する位置に仕切り用のリブ７２２ａ〜７２２ｄが収納スペース７１１内に４カ所設けられている。
【００５３】
トップカバー７２には、連結端側に回転軸７２３，７２３がそれぞれ設けられており、この回転軸７２３がボトムカバー７１の軸受孔７１３，７１３によって軸支されることにより、開閉可能に支持される。
【００５４】
トップカバー７２の収納スペース７２１内には、フィルタ５の他方の面を清掃する第２清掃ブラシ７４が設けられている
【００５５】
これによれば、トップカバー７２側のフィルタ面から掻き出された埃は、再びフィルタ５に付着してフィルタ清掃部７外に持ち出されやすいが、斜め方向に植設された傾斜ブラシ７４２がフィルタの目に差し込まれることでフィルタ５に再付着した埃を確実に掻き取ることができる。なお、上述した押圧手段７３１は第２清掃ブラシ７４側に設けてもよい。
【００５６】
図５に示すように、
ボトムカバー７１には、トップカバー７２を一体的に嵌合する
　
エ．「【００７２】
次に、この空気調和機１のフィルタ５の清掃手順の一例について説明する。まず、使用者はリモコンなどに設けられたフィルタ清掃ボタンを操作すると、図示しない制御部は駆動モータ６に指令を出し、
駆動モータ６をフィルタ５の排出方向に回転させる
【００７３】
駆動モータ６の回転力は、出力ギア６１から回転ギア７７に伝達され、回転ギア７５に噛合されたラック部５３に伝達されることにより、フィルタ５を排出方向（図１では、左下方向）にスライドさせる
【００７４】
フィルタ５が排出方向にスライドを開始すると、フィルタ５の側端部に設けられたレール部５４が可動スクレーパ８２ａ、８２ｂを開方向に移動させる。なお、可動スクレーパ８２ａ、８２ｂは互いに相反する方向に回転し、その移動方法は同じであるため以下の説明においては、一方のみの動作について例示する。
【００７５】
図９（ａ）に示すように、フィルタ５が移動を開始すると、レール部５４の端部に設けられたガイド部５４３に開閉レバー８３ａ、８３ｂのレバーアーム８３１が乗り上げるようにして、開ガイド面５４１に導かれる。
【００７６】
このとき、レバーアーム８３１は開ガイド面５４１に乗り上げながら、回転軸８１ａ、８１ｂを中心に回転することにより、可動スクレーパ８２ａ、８２ｂが開方向に強制的に移動される。
【００７７】
フィルタ５は、
フィルタ清掃部７内に設けられた清掃ブラシ７３，７４間を移動することで、フィルタ５に付着したゴミが掻き出される
【００７８】
このとき、図１０および図１１に示すように、フィルタ５の先端は、前面パネル１３の開閉パネル１４の下側に当接し、開閉パネル１４を押し上げながら、機外へと引き出される。この実施形態において、開閉パネル１４は、フィルタ５によって押し上げられるが、これ以外に専用の開閉手段を設けて、フィルタ５に負荷を与えることなく、開閉するようにしてもよい。
【００７９】
フィルタ５が所定の移動量移動すると、制御部（図示しない）は、駆動モータ６に逆回転の指令を送出することで、フィルタ５を収納方向（図１では右上方向）にスライド移動させる
【００８０】
すなわち、図９（ｂ）に示すように、開レール面５４１に沿って移動してきたレバーアーム８３１はレール部５４終端までくると、バネ付勢によって強制的に閉状態に引き戻され、各可動スクレーパ８２ａ、８２ｂは互いに当接し合う。
【００８１】
そこで、フィルタ５が収納方向に移動を開始すると、レバーアーム８３１はそのまま閉レール面５４２に導かれ、可動スクレーパ８２ａ、８２ｂを閉状態で維持させる。このとき、可動スクレーパ８２ａ、８２ｂの接触面８２１によってフィルタ５面は拭き取られ、清潔な状態のまま機内に運び込まれる。」（段落【００７２】〜【００８１】）
　
オ．図１〜４、図７〜１１には、以下の事項が図示されている。
・フィルタ部５２とフレーム５１からなるフィルタが四角形状を有していること（特に図７参照）
・トップカバー７２、ボトムカバー７１からなるフィルタ清掃部７がフィルタを横切るように配置され、フィルタはフィルタ清掃部７に対してその長さ方向と直交する方向に往復移動すること（図１〜４、及び、摘記事項エ【００７３】、【００７９】参照）
・トップカバー７２、ボトムカバー７１からなるフィルタ清掃部７内にその長さ方向に沿って、かつフィルタの表面側及び裏面側に第２及び第１清掃ブラシ７４、７３が固定配置されていること（図２、４参照）
　
　また、上記ウ、エの記載から、駆動モータ６、出力ギア６７、回転ギア７５等により「フィルタを往復動させる移動手段」が構成され、該「フィルタを往復動させる移動手段」、フィルタ、第２及び第１清掃ブラシ７４、７３、及びフィルタ清掃部７が「フィルタ清掃装置」を構成しているといえる。
　
　以上の事項を総合すると、刊行物１には、次の発明（以下「刊行物１記載の発明」という。）が記載されているものと認められる。
　
　網目が規則的に形成されたフィルタ部５２と一体成型された枠状に形成されたフレーム５１とから成り空気中の塵埃を除去する四角形状のフィルタを清掃するフィルタ清掃装置であって、前記フィルタを横切るように配置されたトップカバー７２、ボトムカバー７１からなるフィルタ清掃部７と、該フィルタ清掃部７内でその長さ方向に沿って、且つフィルタの表面側及び裏面側に配置された固定の第２及び第１清掃ブラシ７４、７３と、前記フィルタをフィルタ清掃部７に対してその長さ方向と直交する方向に往復移動させる移動手段とを備え、前記フィルタをフィルタ清掃部７の長さ方向と直交する方向に往復移動させながら、前記フィルタの表面に付着した塵埃を除去させるフィルタ清掃装置。
　
（２）原査定の拒絶理由にて引用された、原出願の出願前に頒布された刊行物である、実願昭６１−３２７１６号（実開昭６２−１４５０１９号）のマイクロフィルム（以下「刊行物２」という。）には、図面と共に、以下の記載がある。
　
カ．「（１） 吸込部に設けた一対の回転軸に環状に掛けられ、
ターン駆動されるフィルタネット
フィルタネット移動方向と対向して回転駆動され、フィルタネット横幅とほぼ同じ長さのロータリーブラシ
着脱自在な集塵カバー
（２） 
フィルタネットの回転軸を回つて一方向にターンするフィルタネット面と、該フィルタネットのターン方向と対向する方向に回転するロータリーブラシを前後に配設した
　
キ．「この考案は、上記のような問題点を解消するためになされたもので、フィルタに付着したほこりを自動的に除去し、常にリフレッシュされた状態で、空気調和機の運転使用ができる。要すれば、
除去したほこりの取り捨てが容易にできる
　
ク．「フィルタネット１５がロータリーブラシ１８と対向する方向に駆動され、フィルタネット１５の面を
ロータリーブラシ１８がブラッシングし、フィルタネット１５面に付着したほこりを払い落し取り
効果的に払い落す
　
ケ．「また、この考案の一実施例では、
ロータリーブラシ１８にモータ２０を直結させ
　
コ．カにおける「
フィルタネット面と、
ロータリーブラシを前後に配設した
　
　以上の事項を総合すると、刊行物２には、空気調和機の空気吸込部に設けられたフィルタネット面に付着したほこりを自動的にかつ効果的に除去するための発明として、第５図に対応して、次の発明（以下「刊行物２記載の発明」という。）が記載されているものと認められる。
　
　吸込部に設けた一対の回転軸に環状に掛けられターン駆動されるフィルタネット１５と、上記フィルタネット１５の一端部でフィルタネット１５表面に面した後方位置にフィルタネット１５横幅とほぼ同じ長さのロータリーブラシ１８を配設して、モータ２０によりロータリーブラシ１８をフィルタネット１５の移動方向と対向する方向に回転させてブラッシングによりフィルタネット１５面に付着したほこりを払い落し取る、空気調和機のフィルタ清掃装置。
　
３．発明の対比
　本願補正発明と刊行物１記載の発明を対比すると、刊行物１記載の発明における「網目が規則的に形成されたフィルタ部５２」は本願補正発明における「メッシュフィルタ」に相当し、以下同様に、「一体成型された枠状に形成されたフレーム５１」は「その周囲に設けられた枠体」に、「トップカバー７２、ボトムカバー７１からなるフィルタ清掃部７」は「除塵ボックス」に、「除去させる」は「離脱させる」に、各々相当する。
　
　また、刊行物１記載の発明における「フィルタの表面側及び裏面側に配置された固定の第２及び第１清掃ブラシ７４、７３」と本願補正発明における「フィルタの表面側に配置された回転駆動される清掃ブラシ」は、共に「フィルタに面して配置された清掃ブラシ」といえる。
　
　よって、両者の一致点、相違点は、次のとおりである。
　
（一致点）
　メッシュフィルタとその周囲に設けられた枠体とから成り空気中の塵埃を除去する四角形状のフィルタを清掃するフィルタ清掃装置であって、前記フィルタを横切るように配置された除塵ボックスと、該除塵ボックス内でその長さ方向に沿って、且つフィルタに面して配置された清掃ブラシと、前記フィルタを除塵ボックスに対してその長さ方向と直交する方向に往復移動させる移動手段とを備え、前記フィルタを除塵ボックスの長さ方向と直交する方向に往復移動させながら、前記フィルタの表面に付着した塵埃を離脱させるフィルタ清掃装置。
　
（相違点）
　本願補正発明においては、「フィルタに面して配置された清掃ブラシ」が「フィルタの表面側に配置された清掃ブラシ」であると共に「清掃ブラシを回転駆動するモータ」を備え、前記フィルタを往復移動させながら「前記モータにより前記清掃ブラシを回転駆動させて前記フィルタの表面に付着した塵埃を強制的に離脱させるフィルタ清掃装置」が「前記フィルタの往動時に、前記清掃ブラシをフィルタの移動方向と対向する方向に回転させ」るものであるのに対し、刊行物１記載の発明においては、「フィルタに面して配置された清掃ブラシ」が「フィルタの表面側及び裏面側に配置された固定の第２及び第１清掃ブラシ７４、７３」であって、フィルタ清掃装置は「清掃ブラシを回転駆動するモータ」を備えていない点。
　
４．判断
　そこで、相違点につき検討する。
　
　まず、刊行物２記載の発明と本願補正発明を対比すると、刊行物２記載の発明における「フィルタネット１５」は本願補正発明における「フィルタ」に相当し、以下同様に、「ロータリーブラシ１８」は「回転駆動」される「清掃ブラシ」に、「モータ２０によりロータリーブラシ１８をフィルタネット１５の移動方向と対向する方向に回転させてブラッシングによりフィルタネット１５面に付着したほこりを払い落し取る」は「清掃ブラシをフィルタの移動方向と対向する方向に回転させ」て「前記フィルタの表面に付着した塵埃を強制的に離脱させる」に、「空気調和機のフイルタ清掃装置」は「フィルタ清掃装置」に、各々相当する。
　
　したがって、空気調和機の空気吸込部に設けられたフィルタ面に付着したほこりを自動的にかつ効果的に除去するための発明である、刊行物２記載の発明は、次のように言い換えることができる。
　
　吸込部に設けた一対の回転軸に環状に掛けられ、ターン駆動されるフィルタと、上記フィルタの一端部で上記フィルタ表面に面した後方位置にフィルタ横幅とほぼ同じ長さの回転駆動される清掃ブラシを配設して、上記清掃ブラシをフィルタの移動方向と対向する方向に回転させて上記フィルタ面に付着した塵埃を強制的に離脱させるフィルタ清掃装置。
　
　ところで、刊行物１記載の発明は往復移動される四角形状のフィルタを清掃するものであるから、そのフィルタの表面は常に表面側（空気吸入口１２１側）にある。
　
　また、刊行物２記載の発明の「回転駆動される清掃ブラシ」は、フィルタネット１５の後方位置に配設されているものの「フィルタ表面に面」するものであり、これにより塵埃を強制的に離脱させるものであることから、刊行物１記載の発明に適用するに際して、吸入空気により塵埃の付着しやすいフィルタ表面に「回転駆動される清掃ブラシ」が面するよう、該ブラシをフィルタの表面側（空気吸入口１２１側）に配設することは、その機能からみて、当業者が、通常なすことである。
　
　刊行物２記載の発明が「回転駆動される清掃ブラシ」をフィルタネット１５の後方に配設されているとしても、刊行物２の第２図には、フィルタネット１５表面に面して下方に配設する実施例も示されており、上記のように判断することを阻害するものではない。
　
　よって、刊行物１記載の発明において、空気吸込部に設けられたフィルタ面に付着した塵埃を自動的にかつ効果的に除去するために、「フィルタに面して配置された清掃ブラシ」を「フィルタの表面側及び裏面側に配置された固定の第２及び第１清掃ブラシ７４、７３」に代えて「フィルタの表面側に配置された清掃ブラシ」とすると共に「清掃ブラシを回転駆動するモータ」を備え、また前記フィルタを往復移動させながら「前記モータにより前記清掃ブラシを回転駆動させて前記フィルタの表面に付着した塵埃を強制的に離脱させるフィルタ清掃装置」が「前記フィルタの往動時に、前記清掃ブラシをフィルタの移動方向と対向する方向に回転させ」るものとすることは、同じフィルタ清掃装置である刊行物２記載の発明に倣って、当業者が、容易になし得た事項である。
　
　そして、本願発明により得られる効果も、刊行物１、２記載の発明から、当業者であれば、予測できる程度のものであって、格別なものとはいえない。
　
　なお、請求人は、意見書（平成２３年３月７日付け）及び審判請求書にて、次の二点を主張している。
　
（主張１）
「引用文献１（審決注：本審決における刊行物１）には、フィルタの裏面側に第１清掃ブラシ（７３）、フィルタの表面側に第２清掃ブラシ（７４）が存在しており、引用文献１に引用文献２（本審決における刊行物２）のロータリーブラシ（１８）を適用する際に、フィルタの表裏のいずれの側に配置するかは定かではありません。」（意見書第２頁第７行〜第１０行）
　
（主張２）
「引用文献２には、フィルタネット１５を往復駆動させるという思想はなく、そのため、往動時にロータリーブラシ１８をフィルタネット１５の移動方向と対向する方向に回転駆動させるという概念も存在しません。
　以上に基づいて、引用文献１に引用文献２を適用した場合、その構成は表１に示すようになり、本願構成要件Ｈを充足しません。すなわち、引用文献１に引用文献２を適用した場合、ロータリーブラシをフィルタの移動方向と対向する方向に
回転駆動させる構成は、フィルタの往動時とフィルタの復動時の２通りが存在します
往動時を必ず選択させるための示唆や開示がなく
「引用文献１に引用文献２の回転ブラシを適用したとしても、本願発明の「フィルタの
往動時に
　
　そこで各主張につき検討する。
　
（主張１について）
　刊行物１、２に記載された空調装置におけるフィルタ清掃装置は、室内空気の通過によってフィルタに付着した塵埃を除去することを目的としている。
　
　そして、除去すべき塵埃はフィルタ裏面側に比べ、空気吸込口に面した表面側に付着しやすいことは技術常識であり、刊行物１記載の発明に刊行物２記載の発明（回転駆動される清掃ブラシをフィルタの表面側に配置したもの）を適用する場合、フィルタ清掃装置を設ける上記目的からみて、その適用部位として「空気吸込口に面したフィルタ表面側ブラシ（フィルタの表面側に第２清掃ブラシ７４）」が優先されることは、当業者に自明な事項である。
　
　そうすると、本願補正発明の発明特定事項である「清掃ブラシ」を、本願明細書記載の実施形態に即したような「フィルタの表面側に配置された（回転駆動される）清掃ブラシ」のみが存在するものとしても、その適用は、上記検討のとおり容易である。
　
　また、本願補正発明は「フィルタの裏面側に配置される清掃ブラシ」の有無に関しては何ら特定しておらず、「フィルタの表面側にのみ（回転駆動される）清掃ブラシを設けた」形態（例えば、特開２００４−３０１３６３号公報：ブラシ７２参照）のみならず、「フィルタの表面側に加えて、フィルタ裏面側にも（回転駆動される）清掃ブラシを有する」形態（例えば、特公平８−２０１０２号公報：１対のブラシロール１０、１０’参照）の両者を包含するものでもある。
　
　故に、請求人の主張１は採用できない。
　
（主張２について）
　刊行物２記載の発明は「清掃ブラシをモータにより駆動される回転ブラシとするとともに、清掃ブラシをフィルタの移動方向と対向する方向に回転させる」というものであるから、刊行物１記載の発明のようにフィルタが往復動するものに適用する場合には、回転ブラシは、フィルタの往動行程においてはフィルタの移動（往動）方向に対向する方向に回転駆動され、フィルタの復動行程においては、回転方向が逆となって、フィルタの移動（復動）方向に対向する方向に回転駆動されるものにすることが自然である（往復動フィルタへの適用の参考例として、例えば、上記特開２００４−３０１３６３号公報（段落【００４０】〜【００４２】、【００６５】〜【００６８】、図２）参照）。
　
　なお、本願補正発明においては「フィルタの復動時における清掃ブラシの駆動」について何ら特定されていないため、「フィルタの復動時に清掃ブラシをフィルタの移動（復動）方向に対向する方向に回転駆動する」形態を排除するものではない。
　
　よって、請求人の主張２は採用できない。
　
　したがって、本願補正発明は、刊行物１、２記載の発明に基づいて、当業者が容易に発明をすることができたものであるから、特許法第２９条第２項の規定により特許出願の際独立して特許を受けることができないものである。
　
５．結び
　以上のとおり、本件補正は、平成１８年法律第５５号改正附則第３条第１項によりなお従前の例によるとされる同法による改正前の特許法第１７条の２第５項において準用する同法第１２６条第５項の規定に違反するものであり、同法第１５９条第１項において読み替えて準用する同法第５３条第１項の規定により却下されるべきものである。
　
第３．本願発明について
１．本願発明
　本件補正は、上述のとおり却下されたので、本願の請求項１〜５に係る発明は、平成２３年３月７日付けの手続補正書によって補正された特許請求の範囲の請求項１〜５に記載された事項により特定されるとおりのものであると認められるところ、そのうち本願の請求項１に係る発明（以下「本願発明」という。）は、次のとおりのものである。
　
「【請求項１】
　メッシュフィルタとその周囲に設けられた枠体とから成り空気中の塵埃を除去する四角形状のフィルタを清掃するフィルタ清掃装置であって、除塵ボックスと、該除塵ボックス内でその長さ方向に沿って、且つフィルタの表面側に配置された清掃ブラシと、該清掃ブラシを回転駆動するモータと、前記フィルタを除塵ボックスに対してその長さ方向と直交する方向に往復移動させる移動手段とを備え、前記フィルタを除塵ボックスの長さ方向と直交する方向に往復移動させながら、モータにより清掃ブラシを回転駆動させてフィルタの表面に付着した塵埃を強制的に離脱させるフィルタ清掃装置であって、前記フィルタ清掃装置は、前記フィルタの往動時に、前記清掃ブラシをフィルタの移動方向と対向する方向に回転させることを特徴とするフィルタ清掃装置。」
　
２．引用刊行物とその記載事項
　原査定の拒絶理由にて引用された刊行物とその記載事項は、上記の「第２．２」に記載したとおりである。
　
３．対比・判断
　本願発明は、前記「第２」で検討した本願補正発明における発明特定事項である「除塵ボックス」に関して「前記フィルタを横切るように配置された」との限定を削除するとともに、「モータ」、「清掃ブラシ」、「フィルタ」に関して「前記」との付記を削除したものである。
　
　そうすると、本願発明の発明特定事項を全て含み、さらに他の発明特定事項を付加したものに相当する本願補正発明が、前記「第２．４」に記載したとおり、刊行物１、２記載の発明に基づいて、当業者が容易に発明をすることができたものであるから、本願発明も、同様の理由により、刊行物１、２記載の発明に基づいて、当業者が容易に発明をすることができたものである。
　
４．結び
　以上のとおり、本願発明は、刊行物１、２記載の発明に基づいて、当業者が容易に発明をすることができたものであり、特許法第２９条第２項の規定により特許を受けることができないから、本願の他の請求項に係る発明について検討するまでもなく、本願は拒絶すべきものである。
　
　よって、結論のとおり審決する。